(57)【要約】【課題】表示装置及びその駆動方法を提供する。【解決手段】本発明の表示装置は、基板と、ゲートラインと、ゲートラインと交差するデータラインと、ゲートライン及びデータラインと接続して映像を表示する画素と、を含む表示パネルと、ゲートラインと接続して第１及び第２ゲート信号を提供するゲートドライバと、データラインと接続して正常データ電圧及びインパルシブデータ電圧を提供するデータドライバと、を有し、画素は、第１ゲート信号に応答して正常データ電圧の印加を受け、第２ゲート信号に応答してインパルシブデータ電圧の印加を受け、映像を表示し、ゲートラインは互いに隣接して配置された少なくとも一つ以上の第１グループ及び第２グループに区分され、少なくとも一つの第１グループの複数のゲートラインの第１ゲート信号の第１伝達順序と、少なくとも一つの第２グループの複数のゲートラインの第１ゲート信号の第２伝達順序と、は互いに異なる。【選択図】図４
2010122650.tif 000002
【特許請求の範囲】
【請求項１】
基板と、ゲートラインと、該ゲートラインと交差するデータラインと、前記ゲートライン及び前記データラインと接続して映像を表示する画素と、を含む表示パネルと、
前記ゲートラインと接続して第１及び第２ゲート信号を提供するゲートドライバと、
前記データラインと接続して正常データ電圧及びインパルシブデータ電圧を提供するデータドライバと、を有し、
前記画素は、前記第１ゲート信号に応答して前記正常データ電圧の印加を受け、前記第２ゲート信号に応答して前記インパルシブデータ電圧の印加を受け、前記映像を表示し、
前記ゲートラインは互いに隣接して配置された少なくとも一つ以上の第１グループ及び第２グループに区分され、
前記少なくとも一つの第１グループの複数のゲートラインの前記第１ゲート信号の第１伝達順序と、前記少なくとも一つの第２グループの複数のゲートラインの前記第１ゲート信号の第２伝達順序と、は互いに異なることを特徴とする表示装置。
【請求項２】
前記少なくとも一つの第１グループは、前記基板上に順に配置された第ａ〜第ｍゲートラインを含み、
前記第１ゲート信号が前記第ａ〜第ｍゲートラインに順に伝達され、
前記少なくとも一つの第２グループは、前記基板上に順に配置された第ｎ〜第ｘゲートラインを含み、
前記第１ゲート信号が前記第ｘ〜第ｎゲートラインに順に伝達される（但し、ａ、ｍ、ｎ、及びｘは自然数であり、ａはｍより小さく、ｎはｘより小さい）ことを特徴とする請求項１に記載の表示装置。
【請求項３】
正常データ出力時間は、前記第１ゲート信号の印加を受けた後、前記第２ゲート信号の印加を受ける前までの時間であり、
前記第１グループの前記第ａゲートラインの前記正常データ出力時間と、前記第２グループの前記第ｘゲートラインの前記正常データ出力時間と、が互いに同一であることを特徴とする請求項２に記載の表示装置。
【請求項４】
前記少なくとも一つの第１グループの前記第ｍゲートラインの前記正常データ出力時間と、
前記少なくとも一つの第２グループの前記第ｎゲートラインの前記正常データ出力時間は互いに同一であることを特徴とする請求項３に記載の表示装置。
【請求項５】
原映像信号の入力を受け、前記少なくとも一つの第１グループ内の前記ゲートラインに伝達される前記第１ゲート信号の前記第１順序及び前記少なくとも一つの第２グループ内の前記ゲートラインに伝達される前記第２ゲート信号の前記第２順序に応じて前記原映像信号の配列順序を変えて前記正常データ電圧に対応する正常データ信号を生成する信号制御部を更に有することを特徴とする請求項１に記載の表示装置。
【請求項６】
前記少なくとも一つの第２グループは、前記基板上に順次に配列された第ｎ〜第ｘゲートラインを含み、
前記信号制御部は、前記第ｘ〜第ｎゲートラインの配列順序に応じて前記原映像信号の配列順序を変えて前記正常データ信号を生成する（但し、ｎ及びｘは自然数であり、ｎはｘより小さい）ことを特徴とする請求項５に記載の表示装置。
【請求項７】
前記少なくとも一つの第１グループの前記ゲートラインは、前記第２ゲート信号を第１時刻に同時に印加を受け、前記少なくとも一つの第２グループのゲートラインは、前記第２ゲート信号を第２時刻に同時に印加を受け、
前記第１時刻と前記第２時刻は互いに異なることを特徴とする請求項１に記載の表示装置。
【請求項８】
基板と、ゲートラインと、該ゲートラインと交差するデータラインと、前記ゲートライン及び前記データラインと接続して映像を表示する複数の画素と、を含む表示パネルにおいて、
前記ゲートラインに第１及び第２ゲート信号を提供する段階と、
前記データラインに正常データ電圧及びインパルシブデータ電圧を提供する段階と、を有し、
前記画素は、前記第１ゲート信号に応答して前記正常データ電圧の印加を受け、前記第２ゲート信号に応答して前記インパルシブデータ電圧の印加を受け、前記映像を表示し、
前記ゲートラインは、互いに隣接して配置された少なくとも一つの第１グループ及び少なくとも一つの第２グループに区分され、
前記少なくとも一つの第１グループのゲートラインに前記第１ゲート信号が伝達される第１順序と、前記少なくとも一つの第２グループのゲートラインに前記第１ゲート信号が伝達される第２順序と、は互いに異なることを特徴とする表示装置の駆動方法。
【請求項９】
前記少なくとも一つの第１グループは、前記基板上に順次に配置された第ａ〜第ｍゲートラインを含み、
前記第１ゲート信号を前記第ａ〜第ｍゲートラインに順に提供し、
前記少なくとも一つの第２グループは、前記基板上に順次に配置された第ｎ〜第ｘゲートラインを含み、
前記第１ゲート信号を前記第ｘ〜第ｎゲートラインに順に提供する（但し、ａ、ｍ、ｎ、及びｘは自然数であり、ａはｍより小さく、ｎはｘより小さい）ことを特徴とする請求項８に記載の表示装置の駆動方法。
【請求項１０】
正常データ出力時間は、前記第１ゲート信号の印加を受けた後、前記第２ゲート信号の印加を受ける前までの時間であり、
前記第１グループの前記第ａゲートラインの前記正常データ出力時間と、前記第２グループの前記第ｘゲートラインの前記正常データ出力時間と、が互いに同一であることを特徴とする請求項９に記載の表示装置の駆動方法。
【発明の詳細な説明】
【技術分野】
【０００１】
本発明は、表示装置及びその駆動方法に関し、より詳細には表示品質を向上させた表示装置及びその駆動方法に関するものである。
【背景技術】
【０００２】
有機発光装置（Ｏｒｇａｎｉｃ  Ｌｉｇｈｔ  Ｅｍｉｔｔｉｎｇ  Ｄｅｖｉｃｅ：ＯＬＥＤ）、プラズマ表示パネル（Ｐｌａｓｍａ  Ｄｉｓｐｌａｙ  Ｐａｎｅｌ：ＰＤＰ）、及び液晶表示装置（Ｌｉｑｕｉｄ  Ｃｒｙｓｔａｌ  Ｄｉｓｐｌａｙ：ＬＣＤ）などのような表示装置は、重くて大きいＣＲＴ（Ｃａｔｈｏｄｅ  Ｒａｙ  Ｔｕｂｅ）を代替するために益々発展している。ＰＤＰは、ガス−放電によって発生するプラズマを用いて文字又は映像を表示する装置であり、ＯＬＥＤは、特定有機物質又は高分子量のポリマー化合物の電界発光（ｅｌｅｃｔｒｏｌｕｍｉｎｅｓｃｅｎｃｅ）を用いて文字又は映像を表示する装置である。
【０００３】
液晶表示装置は、複数の画素電極を備える第１表示板と、共通電極が具備される第２表示板と、その間に介在する誘電率異方性（ｄｉｅｌｅｃｔｒｉｃ  ａｎｉｓｏｔｒｏｐｙ）を有する液晶層を含む。この時、第１表示板上に共通電極を備えることもできる。複数の画素電極は、実質的に行列の形態で配列されており、例えば、薄膜トランジスタ（ＴＦＴ）などのスイッチング素子に接続し、一行ずつ順にデータ電圧の印加を受ける。共通電極は、共通電圧の印加を受ける。第１表示板、第２表示板及びその間の液晶層は、液晶キャパシタを形成し、液晶キャパシタはこれに接続されたスイッチング素子と一緒に画素を形成する。
【０００４】
このような液晶表示装置では、画素電極と共通電極に各々映像データ電圧と共通電圧を印加して液晶層に電界を生成し、この電界の強度を調節して液晶層を通過する光の透過率を調節することによって所望する画像を得る。この時、液晶層に一方向の電界が長い間印加されることによって発生する劣化現象を防止するため、フレーム別に、行別に、又は画素別に共通電圧に対する映像データ電圧の極性を反転させる。しかし、このようにデータ電圧の極性を反転させる場合に液晶分子の応答速度が遅く、液晶キャパシタが目標電圧に充電されるまで長い時間がかかるため画面が鮮明ではなくぼやける（ｂｌｕｒｒｉｎｇ）現象が発生する。
【０００５】
このような問題を解決するために画面の特定の部分にブラック画面を挿入するブラック挿入（ｂｌａｃｋ  ｉｎｓｅｒｔｉｏｎ）駆動方式（又はインパルシブ駆動方式）が開発された。
【０００６】
しかし、複数のゲートラインをいくつかのグループに分けて、各グループごとに同時にインパルシブデータ（又はブラックデータ）が挿入されるようにゲートオン信号を印加する場合、ある一つのグループの最後のゲートラインと連続する次のグループの最初のゲートとの間の正常データ出力時間の差が大きくなる。これによって、不連続的な階調差異が表れる輝線問題が発生して表示品質が阻害される場合があった。
【先行技術文献】
【特許文献】
【０００７】
【特許文献１】大韓民国特許公開２００５−７７８５０号明細書
【発明の概要】
【発明が解決しようとする課題】
【０００８】
そこで、本発明は、上記従来の問題点に鑑みてなされたものであって、本発明の目的は、表示品質を向上させた表示装置を提供することにある。
本発明の他の目的は、表示品質を向上させた表示装置の駆動方法を提供することにある。
【課題を解決するための手段】
【０００９】
上記目的を達成するためになされた本発明の一特徴による表示装置は、基板と、ゲートラインと、該ゲートラインと交差するデータラインと、前記ゲートライン及び前記データラインと接続して映像を表示する画素と、を含む表示パネルと、前記ゲートラインと接続して第１及び第２ゲート信号を提供するゲートドライバと、前記データラインと接続して正常データ電圧及びインパルシブデータ電圧を提供するデータドライバと、を有し、前記画素は、前記第１ゲート信号に応答して前記正常データ電圧の印加を受け、前記第２ゲート信号に応答して前記インパルシブデータ電圧の印加を受け、前記映像を表示し、前記ゲートラインは互いに隣接して配置された少なくとも一つ以上の第１グループ及び第２グループに区分され、前記少なくとも一つの第１グループの複数のゲートラインの前記第１ゲート信号の第１伝達順序と、前記少なくとも一つの第２グループの複数のゲートラインの前記第１ゲート信号の第２伝達順序と、は互いに異なる。
【００１０】
上記目的を達成するためになされた本発明の他の特徴による表示装置は、基板と、ゲートラインと、該ゲートラインと交差するデータラインと、前記ゲートライン及び前記データラインと接続して映像を表示する画素と、を含む表示パネルと、前記ゲートラインと接続して前記ゲートラインに第１ゲート信号及び第２ゲート信号を伝達するゲートドライバと、前記データラインと接続し、前記データラインに正常データ電圧及びインパルシブデータ電圧を伝達するデータドライバと、信号制御部と、を有し、前記信号制御部は、前記第１ゲート信号に応答して前記正常データ電圧の印加を受け、前記第２ゲート信号に応答して前記インパルシブデータ電圧の印加を受け、前記ゲートラインは少なくとも一つの第１グループ及び少なくとも一つの第２グループに区分され、前記少なくとも一つの第１グループは前記少なくとも一つの第２グループに隣接して配置され、前記少なくとも一つの第１グループ内の前記ゲートラインに伝達される前記第１ゲート信号の第１順序と、前記少なくとも一つの第２グループ内の前記ゲートラインに伝達される前記第１ゲート信号の第２順序と、は互いに異なり、前記信号制御部は、原映像信号の提供を受け、前記少なくとも一つの第１グループ内の前記ゲートラインに伝達される前記第１ゲート信号の前記第１順序及び前記少なくとも一つの第２グループ内の前記ゲートラインに伝達される前記第２ゲート信号の前記第２順序に応じて前記原映像信号の配列順序を変え、前記正常データ電圧に対応する正常データ信号を生成する。
【００１１】
上記他の目的を達成するためになされた本発明の一特徴による表示装置の駆動方法は、基板と、ゲートラインと、該ゲートラインと交差するデータラインと、前記ゲートライン及び前記データラインと接続して映像を表示する複数の画素と、を含む表示パネルにおいて、前記ゲートラインに第１及び第２ゲート信号を提供する段階と、前記データラインに正常データ電圧とインパルシブデータ電圧を提供する段階と、を有し、前記画素は、前記第１ゲート信号に応答して前記正常データ電圧の印加を受け、前記第２ゲート信号に応答して前記インパルシブデータ電圧の印加を受け、前記映像を表示し、前記ゲートラインは、互いに隣接して配置された少なくとも一つの第１グループ及び少なくとも一つの第２グループに区分され、前記少なくとも一つの第１グループのゲートラインに前記第１ゲート信号が伝達される第１順序と、前記少なくとも一つの第２グループのゲートラインに前記第１ゲート信号が伝達される第２順序と、は互いに異なる。
【００１２】
本発明のその他の特徴の具体的な内容は詳細な説明及び図面に含まれる。
【発明の効果】
【００１３】
本発明の表示装置及びその駆動方法によれば、ゲートラインの間の輝度が急激に減少又は増加しないため、急激な輝度変化によって発生し得る輝線問題を減少させて画質を向上させることができる。
【図面の簡単な説明】
【００１４】
【図１】本発明の一実施形態による表示装置及びその駆動方法を説明するためのブロック図である。
【図２】図１に示す表示パネルに含まれる一画素の等価回路図である。
【図３】図１に示す信号制御部を説明するためのブロック図である。
【図４】本発明の実施形態における多数のゲートラインに第１及び第２ゲート信号が印加される動作を説明するための信号図である。
【図５】図４に示す各ゲートラインに印加される正常データ出力時間及びインパルシブデータ出力時間を示す概念図である。
【図６】本発明の実施形態における多数のゲートラインの輝度の変化を説明するためのグラフである。
【図７】本発明の実施形態における表示パネルに映像が表示される形態を説明するための図である。
【図８】図１に示す信号制御部の正常データ信号の生成方式を説明するための概念図である。
【発明を実施するための形態】
【００１５】
本発明の利点、特徴、及びそれらを達成する方法は、図面と共に詳細に後述する実施形態を参照すれば明確になるであろう。しかし、本発明は、以下で開示する実施形態に限定されるものではなく、異なる多様な形態で具現することが可能である。本実施形態は、単に本発明の開示が完全になるように、本発明が属する技術分野で通常の知識を有する者に対して発明の範疇を完全に知らしめるために提供するものである。なお、明細書全体にかけて、同一の参照符号は同一の構成要素を指すものとする。
【００１６】
一つの素子（ｅｌｅｍｅｎｔｓ）が、他の素子と「接続された（ｃｏｎｎｅｃｔｅｄ  ｔｏ）」又は「カップリングされた（ｃｏｕｐｌｅｄ  ｔｏ）」と指称するときは、他の素子と直接連結又はカップリングされた場合、或いは中間に他の素子を介在させた場合のすべてを含む。これに対し、一つの素子が異なる素子と「直接接続された（ｄｉｒｅｃｔｌｙ  ｃｏｎｎｅｃｔｅｄ  ｔｏ）」又は「直接カップリングされた（ｄｉｒｅｃｔｌｙ  ｃｏｕｐｌｅｄ  ｔｏ）」と指称するときは、間に他の素子を介在させないことを表わす。明細書全体にかけて、同一の参照符号は、同一の構成要素を参照する。「及び／又は」は、言及されたアイテムの各々及び一つ以上のすべての組合せを含む。
【００１７】
第１、第２等が、多様な素子、構成要素及び／又はセクションを説明するために使用される。しかしながら、これら素子、構成要素及び／又はセクションは、これらの用語によって制限されないことは勿論である。これらの用語は単に一つの素子、構成要素、又はセクションを他の素子、構成要素、又はセクションと区別するために使用されるものである。従って、以下で言及する第１素子、第１構成要素、又は第１セクションは、本発明の技術的思想内で第２素子、第２構成要素、又は第２セクションであり得ることは勿論である。
【００１８】
本明細書で使用する用語は、実施形態を説明するためであり、本発明を制限しようとするものではない。本明細書において単数形は、文言で特別に言及しない限り、複数形をも含む。明細書で使用される「含む（ｃｏｍｐｒｉｓｅｓ）」及び／又は「含む（ｃｏｍｐｒｉｓｉｎｇ）」は、言及した構成要素、段階、動作、及び／又は素子の、一つ以上の他の構成要素、段階、動作、及び／又は素子の存在又は追加を排除しない。
【００１９】
他に定義されなければ、本明細書で使用するすべての用語（技術及び科学的用語を含む）は、本発明が属する技術分野で通常の知識を有する者に共通に理解され得る意味において使用されるものである。また、一般的に使用される辞典に定義されている用語は、明確に特別に定義されていない限り理想的に又は過度に解釈されない。
【００２０】
以下、本発明の表示装置及びその駆動方法を実施するための形態を、一実施形態による液晶表示装置及びその駆動方法によって、図面を参照しながら説明する。
【００２１】
図１は、本発明の一実施形態による液晶表示装置及びその駆動方法を説明するためのブロック図であり、図２は、図１に示す表示パネルに含まれる一画素の等価回路図である。図３は、図１に示す信号制御部を説明するためのブロック図である。図４は、本発明の実施形態における多数のゲートラインに第１及び第２ゲート信号が印加される動作を説明するための信号図であり、図５は、図４に示す各ゲートラインに印加される正常データ出力時間及びインパルシブデータ出力時間を示す概念図である。図６は、本発明の実施形態における多数のゲートラインの輝度の変化を説明するためのグラフである。図７は、本発明の実施形態における表示パネルに映像が表示される形態を説明するための図である。図８は、図１に示す信号制御部の正常データ信号の生成方式を説明するための概念図である。
【００２２】
図１を参照すると、液晶表示装置１０は、表示パネル３００、信号制御部６００、ゲートドライバ４００、データドライバ５００、及び階調電圧発生部７００を含み得る。
【００２３】
表示パネル３００は、多数のゲートライン（Ｇ１〜Ｇｌ）と多数のデータライン（Ｄ１〜Ｄｍ）及び多数の画素（ＰＸ）を含む。ゲートライン（Ｇ１〜Ｇｌ）は、概ね第１方向に延長されて互いにほぼ平行であり、データライン（Ｄ１〜Ｄｍ）は概ね第２方向に延長されて互いに実質的に平行である。各ゲートライン（Ｇ１〜Ｇｌ）と各データライン（Ｄ１〜Ｄｍ）が交差する領域に各画素（ＰＸ）が配置される。ゲートドライバ４００から各ゲートライン（Ｇ１〜Ｇｌ）に各ゲート信号が入力され、データドライバ５００から各データライン（Ｄ１〜Ｄｍ）に各データ電圧が入力される。各画素（ＰＸ）は各データ電圧に応答して映像を表示する。
【００２４】
ここで、各ゲートライン（Ｇ１〜Ｇｌ）に順に入力されるゲート信号は、第１ゲート信号と、第２ゲート信号を含み、各データライン（Ｇ１〜Ｇｌ）に入力されるデータ電圧は正常データ電圧と、インパルシブデータ電圧を含み得る。また、各画素（ＰＸ）は、第１ゲート信号に応答して正常データ電圧の印加を受け、第２ゲート信号に応答してインパルシブデータ信号の印加を受けることができる。
【００２５】
更に具体的に、多数のゲートライン（Ｇ１〜Ｇ３ｎ）は複数のセクション（ｓｅｃｔｉｏｎ）に区分され、各セクションは第１グループ又は第２グループで定義することができる。例えば、順に配列された多数のゲートライン（Ｇ１〜Ｇ３ｎ）を３個のセクション（Ａ、Ｂ、Ｃ）に区分することができる。即ち、第１〜第ｎゲートラインをＡセクション、第ｎ＋１〜第２ｎゲートラインをＢセクション、第２ｎ＋１〜第３ｎゲートラインをＣセクションに区分することができる。以下では、説明の便宜のためにＡセクションをＡパーツ（ｐａｒｔ）、ＢセクションをＢパーツ、ＣセクションをＣパーツと指称する。
【００２６】
この時、ＡパーツとＣパーツを第１グループ、Ｂパーツを第２グループと定義することができる。従って、互いに隣接するＡパーツとＢパーツに対して、Ａパーツは第１グループと定義し、Ｂパーツは第２グループと定義することができる。同様に、互いに隣接するＢパーツとＣパーツに対して、Ｂパーツは第２グループと定義し、Ｃパーツは第１グループと定義することができる。
【００２７】
第１グループに含まれる複数のゲートラインの第１ゲート信号の伝達順序と、第２グループに含まれる複数のゲートラインの第１ゲート信号の伝達順序は互いに異なる。図示するように、第１グループと定義されたＡパーツの第１〜第ｎゲートラインと、Ｃパーツの第２ｎ＋１〜第３ｎゲートラインに第１ゲート信号が伝達される順序と、第２グループと定義されたＢパーツの第ｎ＋１〜第２ｎゲートラインに第１ゲート信号が伝達される順序は互いに異なる。即ち、第１ゲート信号は、第１〜第ｎゲートライン（Ｇ１〜Ｇｎ）順の第１順序で伝達され、第２ｎ〜第ｎ＋１ゲートライン（Ｇ２ｎ〜Ｇｎ＋１）順の第２順序で伝達され、第２ｎ＋１〜第３ｎゲートライン（Ｇ２ｎ＋１〜Ｇ３ｎ）順の第３順序で順に伝達され得る。これについての更に具体的な説明は図４を参照して後述する。
【００２８】
後述するように、信号制御部６００は、原映像信号（Ｒ、Ｇ、Ｂ）の入力を受け、表示映像信号、即ち表示データ信号（ＤＡＴ）をデータドライバ５００に出力することができる。データドライバ５００は表示データ信号（ＤＡＴ）に対応するデータ信号、即ち正常データ信号とインパルシブデータ信号を出力することができる。更に具体的に、信号制御部６００は、原映像信号（Ｒ、Ｇ、Ｂ）の入力を受けて、第１ゲート信号の伝達順序に応じて原映像信号（Ｒ、Ｇ、Ｂ）の配列順序を変えて正常データ信号を生成することができる。
【００２９】
原映像信号の配列順序を変えて正常データ信号を生成する過程は、後で図８を参照して更に具体的に説明する。
【００３０】
一方、表示パネル３００はマトリックス形態で配列された多数の画素（ＰＸ）を含み得る。
【００３１】
図２を参照すると、画素（ＰＸ）、例えば、ｉ番目（ｉ＝１〜３ｎ）ゲートライン（Ｇｉ）とｊ番目（ｊ＝１〜ｍ）データライン（Ｄｊ）に電気的に接続された画素（ＰＸ）は、ゲートライン（Ｇｉ）及びデータライン（Ｄｊ）に接続されたスイッチング素子（Ｑ）と、これに接続された液晶キャパシタ（ｌｉｑｕｉｄ  ｃｒｙｓｔａｌ  ｃａｐａｃｉｔｏｒ：Ｃｌｃ）及び維持キャパシタ（ｓｔｏｒａｇｅ  ｃａｐａｃｉｔｏｒ：Ｃｓｔ）を含む。液晶キャパシタ（Ｃｌｃ）は、二つの電極、例えば、図示するように第１表示板１００と、第２表示板２００及び二つの電極の間に介在する液晶層１５０で構成され得る。共通電極（ＣＥ）の一部には色フィルタ（ＣＦ）が形成されている。
【００３２】
本発明のある実施形態では、維持キャパシタ（Ｃｓｔ）は除去され得る。共通電極（ＣＥ）が第１表示板上に形成される場合、カラーフィルタ（ＣＦ）が第２表示板上に形成され得る。ある実施形態では、カラーフィルタ（ＣＦ）が第１表示板上に形成され、共通電極（ＣＥ）が第２表示板上に形成されることもある。ある実施形態では、カラーフィルタ（ＣＦ）が第１表示板上に形成されて共通電極（ＣＥ）も第１表示板上に形成され得る。
【００３３】
また、図１を参照すると、信号制御部６００は、原映像信号（Ｒ、Ｇ、Ｂ）及びこれらの表示を制御する外部制御信号（ＤＥ、Ｈｓｙｎｃ、Ｖｓｙｎｃ、Ｍｃｌｋ）の入力を受け、表示データ信号（ＤＡＴ）、ゲート制御信号（ＣＯＮＴ１）、及びデータ制御信号（ＣＯＮＴ２）を出力する。具体的に信号制御部６００は、原映像信号（Ｒ、Ｇ、Ｂ）の入力を受けて表示データ信号（ＤＡＴ）を出力することができる。信号制御部６００は、また、外部（未図示）から外部制御信号（Ｖｓｙｎｃ、Ｈｓｙｎｃ、Ｍｃｌｋ、ＤＥ）の入力を受けてゲート制御信号（ＣＯＮＴ１）及びデータ制御信号（ＣＯＮＴ２）を生成することができる。外部制御信号の例としては、垂直同期信号（Ｖｓｙｎｃ）と水平同期信号（Ｈｓｙｎｃ）、メインクロック信号（Ｍｃｌｋ）、データイネーブル信号（ＤＥ）などがある。ゲート制御信号（ＣＯＮＴ１）はゲートドライバ４００の動作を制御するための信号であり、データ制御信号（ＣＯＮＴ１）はデータドライバ５００の動作を制御するための信号である。信号制御部６００については図３を参照して更に詳細に説明する。
【００３４】
ゲートドライバ４００は、信号制御部６００からゲート制御信号（ＣＯＮＴ１）の提供を受けて第１及び第２ゲート信号をゲートライン（Ｇ１〜Ｇ３ｎ）に印加する。ここで、第１及び第２ゲート信号は各々ゲートオン／オフ電圧発生部（未図示）から提供されたゲートオン電圧（Ｖｏｎ）とゲートオフ電圧（Ｖｏｆｆ）の組合せでなされ得る。例えば、第１ゲート信号は正常映像データ用ゲートオン電圧（Ｎ）であり得、第２ゲート信号はインパルシブデータ用ゲートオン電圧（Ｂ）であり得る。第１及び第２ゲート信号の動作については図４を参照して更に詳細に説明する。
【００３５】
データドライバ５００は、信号制御部６００からデータ制御信号（ＣＯＮＴ２）の提供を受けて表示データ信号（ＤＡＴ）に対応するデータ電圧をデータライン（Ｄ１〜Ｄｍ）に印加する。表示データ信号（ＤＡＴ）に対応するデータ電圧は階調電圧発生部７００から提供された電圧であり得る。ここで、表示データ信号（ＤＡＴ）は正常データ信号と、インパルシブデータ信号を含む。従って、データ電圧は、正常データ信号と、インパルシブデータ信号に各々対応する正常データ電圧と、インパルシブデータ電圧を含み得る。また、インパルシブデータ信号は、例えば、ブラックデータ信号であり得る。
【００３６】
階調電圧発生部７００は、表示データ信号（ＤＡＴ）が有する階調に応じて駆動電圧（ＡＶＤＤ）を分配したデータ電圧を提供することができる。階調電圧発生部７００は、駆動電圧（ＡＶＤＤ）が印加されるノードとグラウンドとの間に直列で接続された複数の抵抗を含み駆動電圧（ＡＶＤＤ）の電圧レベルを分配して多数の階調電圧を生成することができる。階調電圧発生部７００の内部回路はこれに限定されず、多様に具現し得る。
【００３７】
ある実施形態において、階調電圧発生部７００は駆動電圧（ＡＶＤＤ）で複数の階調基準電圧を生成することができる。複数の階調基準電圧は、データドライバ５００に提供され、データドライバ５００は、階調基準電圧で表示データ信号に対応するデータ電圧を生成することができる。
【００３８】
図３を参照すると、信号制御部６００は、映像信号処理部６１０と、制御信号生成部６２０を含む。
【００３９】
映像信号処理部６１０は、原映像信号（Ｒ、Ｇ、Ｂ）の入力を受け表示データ信号（ＤＡＴ）を出力することができる。上述したように、表示データ信号（ＤＡＴ）は正常データ信号と、インパルシブデータ信号を含み得、映像信号処理部６１０は、第１ゲート信号の伝達順序により原映像信号（Ｒ、Ｇ、Ｂ）の配列順序を変えて正常データ信号を生成することができる。
【００４０】
更に具体的に説明すると、第１グループの複数のゲートラインの第１ゲート信号の伝達順序と、第２グループの複数のゲートラインの第１ゲート信号の伝達順序とが互いに異なるため、多数のゲートライン（Ｇ１〜Ｇ３ｎ）と電気的に接続された各画素（ＰＸ）に正常データ信号が適切に伝達されるためには第１ゲート信号の伝達順序を考慮して各画素（ＰＸ）に正常データ信号を伝達しなければならない。映像信号処理部６１０の正常データ信号生成方式は図８を参照して更に詳細に説明する。
【００４１】
更に、表示データ信号（ＤＡＴ）は、表示品質を向上させるために映像データ信号を補正する付加的な補正段階を更に含むこともできる。
【００４２】
制御信号生成部６２０は、外部（未図示）から外部制御信号（例えば、ＤＥ、Ｈｓｙｎｃ、Ｖｓｙｎｃ、Ｈｓｙｎｃ、Ｍｃｌｋ）の入力を受けてゲート制御信号（ＣＯＮＴ１）及びデータ制御信号（ＣＯＮＴ２）を生成することができる。ゲート制御信号（ＣＯＮＴ１）は、ゲートドライバ４００の動作を制御するための信号である。ゲート制御信号（ＣＯＮＴ１）は、ゲートドライバ４００の動作を開始する垂直開始信号（ＳＴＶ）、ゲートオン電圧の出力時期を決定するゲートクロック信号（ＣＰＶ）及びゲートオン電圧のパルス幅を決定する出力イネーブル信号（ＯＥ）などを含み得る。データ制御信号（ＣＯＮＴ２）はデータドライバ５００の動作を制御する信号である。データ制御信号（ＣＯＮＴ２）はデータドライバ５００の動作を開始する水平開始信号（ＳＴＨ）及び映像データ電圧の出力を指示する出力指示信号（ＴＰ）などを含み得る。
【００４３】
図４を参照して複数のゲートライン（Ｇ１〜Ｇ３ｎ）に伝達される第１及び第２ゲート信号を更に詳しく説明する。
【００４４】
３個のパーツ（Ａ、Ｂ、Ｃ）に区分された多数のゲートライン（Ｇ１〜Ｇ３ｎ）は第１又は第２グループと定義し、これによって各パーツの多数のゲートラインに伝達される第１ゲート信号の順序が決定される。図示するように、第１〜第ｎゲートラインをＡパーツ、第ｎ＋１〜第２ｎゲートラインをＢパーツ、第２ｎ＋１〜第３ｎゲートラインをＣパーツに区分し、ＡパーツとＣパーツを第１グループ、Ｂパーツを第２グループと定義することができる。図面のＡ１は、第１グループと定義したＡパーツを、Ｂ２は第２グループと定義したＢパーツを、Ｃ１は第１グループと定義したＣパーツを意味する。図示したものは一つの例示に他ならず、第１及び第２グループを隣接して定義する限り、多数のゲートラインを区分するグループの数又は各グループに含まれるゲートラインの数などに限定されないのは勿論である。
【００４５】
ここで、第１及び第２グループを隣接して定義するということは、順次に配置された多数のゲートラインを二つ以上のグループに分け、任意のグループを第１グループと定義した場合、任意のグループに連続するグループを第２グループ、第１グループ、及び第２グループの順に定義することを意味し得る。任意のグループを第２グループと定義し、これに連続するグループを第１グループ、第２グループ、及び第１グループの順に定義することもできる。
【００４６】
各ゲートライン（Ｇ１〜Ｇ３ｎ）は、第１及び第２ゲート信号の印加を受けて各ゲートライン（Ｇ１〜Ｇ３ｎ）にカップリングされた画素に正常データ電圧及びインパルシブデータ電圧が印加されるようにする。更に具体的に、各画素は第１ゲート信号に応答して正常データ信号の印加を受け、第２ゲート信号に応答してインパルシブデータ信号の印加を受け、各データ信号に対応する映像を表示パネルに表示することができる。即ち、第１ゲート信号（Ｎ）は正常データ用ゲートオン電圧であり得、第２ゲート信号（Ｂ）はインパルシブデータ用ゲートオン電圧であり得る。
【００４７】
第１ゲート信号（Ｎ）は各ゲートライン（Ｇ１〜Ｇ３ｎ）に連続的に印加されるものの、第１グループ及び第２グループのうちの何れのグループに定義されるかによって連続的に印加される方向が決定され得る。即ち、第１グループは順次に配置された第ａ〜第ｍゲートラインを含み、第１ゲート信号が第ａ〜第ｍゲートライン順に順次に伝達され、第２グループは順次に配置された第ｎ〜第ｘゲートラインを含み第１ゲート信号が第ｘ〜第ｎゲートライン順に順次に伝達され得る。
【００４８】
図４を参照して第１グループと定義したＡ１パーツに含まれる多数のゲートライン（Ｇ１〜Ｇｎ）の動作を見ると、Ａ１パーツは、第１〜第ｎゲートライン（Ｇ１〜Ｇｎ）を含み第１〜第ｎゲートライン順に順次に第１ゲート信号（Ｎ）が伝達され得る。また、Ａ１パーツの各ゲートライン（Ｇ１〜Ｇｎ）は同時に第２ゲート信号（Ｂ）の印加を受ける。上述したように、順次に提供される第１ゲート信号に応答して各ゲートラインに電気的にカップリングされた多数の画素に正常データ電圧が印加され、第２ゲート信号に応答して多数の画素にインパルシブデータ電圧が印加され得る。
【００４９】
この時、第１ゲート信号（Ｎ）の印加を受けた後、第２ゲート信号（Ｂ）の印加を受ける時まで、各画素は正常データ電圧を維持することができる。第１ゲート信号（Ｎ）が印加されて第２ゲート信号（Ｂ）が印加される時までの時間を正常データ出力時間と指称することができる。
【００５０】
図４に示すように、各ゲートラインに第１ゲート信号が印加される時間の単位を１Ｈと定義し、Ａ１パーツの第１ゲートライン（Ｇ１）の正常データ出力時間をＭ・Ｈと定義することができる。Ｍは、任意の自然数であり得、更に具体的に、Ａ１パーツの第１ゲートライン（Ｇ１）の正常データ出力時間を１Ｈで割った値を意味し得る。言い換えれば、Ｍ・Ｈは、第１ゲート信号（Ｎ）が印加された後、第２ゲート信号（Ｂ）が印加される時までの区間をゲート信号の印加時間（１Ｈ）の倍数で示すものである。例えば、Ｍは、Ａ１パーツに含まれる複数のゲートライン（Ｇ１〜Ｇｎ）の数より大きい値を有し得る。
【００５１】
上述したように、第１ゲート信号（Ｎ）は、Ａ１パーツで第１〜第ｎゲートライン（Ｇ１〜Ｇｎ）順に順次に伝達され、第２ゲート信号（Ｂ）はＡ１パーツの第１〜第ｎゲートラインに同時に印加されるため、Ａ１パーツの第１〜第ｎゲートライン（Ｇ１〜Ｇｎ）の正常データ出力時間は第１〜第ｎゲートライン（Ｇ１〜Ｇｎ）順に徐々に短くなる。
【００５２】
Ａ１パーツの第１〜第ｎゲートライン（Ｇ１〜Ｇｎ）の正常データ出力時間を見ると、第２ゲートライン（Ｂ）の正常データ出力時間は、第１ゲートライン（Ｇ１）の正常データ出力時間であるＭ・Ｈより１Ｈ短くなった（Ｍ−１）・Ｈであり、第３ゲートライン（Ｇ３）の正常データ出力時間は第２ゲートライン（Ｇ２）の正常データ出力時間より１Ｈ更に短くなった（Ｍ−２）・Ｈである。従って、第ｎゲートライン（Ｇｎ）の正常データ出力時間は［Ｍ−（ｎ−１）］・Ｈといえる。
【００５３】
続いて、Ｂ２グループの第ｎ＋１〜第２ｎゲートライン（Ｇｎ＋１〜Ｇ２ｎ）の正常データ出力時間を見ると、第ｎ＋１ゲートライン（Ｇｎ＋１）の正常データ出力時間は［（Ｍ−（ｎ−１）・Ｈ］であり、第２ｎゲートライン（Ｇ２ｎ）の正常データ出力時間はＭ・Ｈである。即ち、Ａ１パーツの第１ゲートライン（Ｇ１）の正常データ出力時間と、Ｂ２グループの第２ｎゲートライン（Ｇ２ｎ）の正常データ出力時間がＭ・Ｈで互いに同一であり、Ａ１パーツの第ｎゲートライン（Ｇｎ）の正常データ出力時間と、Ａ２グループの第ｎ＋１ゲートライン（Ｇｎ＋１）の正常データ出力時間が［Ｍ−（ｎ−１）］・Ｈで互いに同一であり得る。
【００５４】
Ｃ１グループの第２ｎ＋１〜第３ｎゲートライン（Ｇ２ｎ＋１〜Ｇ３ｎ）の正常データ出力時間は、Ａ１パーツの第１〜第ｎゲートライン（Ｇ１〜Ｇｎ）と実質的に同一である。即ち、第２ｎ＋１ゲートライン（Ｇ２ｎ＋１）の正常データ出力時間はＭ・Ｈであり、第３ｎゲートライン（Ｇ３ｎ）の正常データ出力時間は［Ｍ−（ｎ−１）］・Ｈであり得る。即ち、Ｃ１グループの第２ｎ＋１ゲートライン（Ｇ２ｎ＋１）の正常データ出力時間とＢ２グループの第２ｎゲートライン（Ｇ２ｎ）の正常データ出力時間は互いに同一であり得る。
【００５５】
要するに、互いに隣接して定義された第１及び第２グループに含まれる多数のゲートラインに、第１及び第２グループに応じて互いに異なる順に第１ゲート信号を提供することによって、第１〜第３ｎゲートライン（Ｇ１〜Ｇ３ｎ）の正常データ出力時間が、第１〜第ｎゲートラインを含むＡ１パーツで徐々に減り、第ｎ＋１〜第２ｎゲートラインを含むＢ２グループで徐々に増え、第２ｎ＋１〜第３ｎゲートラインを含むＣ１グループで再び減る。
【００５６】
図面では第１ゲートラインの第２ゲート信号（Ｂ）が１フレーム（１Ｆ）の中間程度に印加されるものとして図示しているが、発明の目的や用途などに応じて多様に変形できることは勿論である。更に、各グループがｎ個のゲートラインを含む場合を図示しているが、これは一つの例であり、各グループが互いに異なる数のゲートラインを含めることは勿論である。
【００５７】
図５を参照して各ゲートラインに印加される正常データ出力時間及びインパルシブデータ出力時間を調べる。一つの長方形は、各ゲートラインのあるフレーム時間を示し、各長方形の左側は正常データ出力時間（ＩＭＡＧＥ）を示し、各長方形の右側はインパルシブデータ出力時間（ＢＬＡＣＫ）を示す。Ａ１パーツの正常データ出力時間（ＩＭＡＧＥ）は第１ゲートライン（Ｇ１）から第ｎゲートライン（Ｇｎ）に行くほど減り、Ｂ２グループの正常データ出力時間（ＩＭＡＧＥ）は第ｎ＋１ゲートライン（Ｇｎ＋１）から第２ｎゲートライン（Ｇ２ｎ）に行くほど徐々に増加する。Ｃ１グループの正常データ出力時間はＡ１パーツと実質的に同一の傾向で減少する。また、図示するように、各グループが接する部分のゲートライン、即ち第ｎゲートライン及び第ｎ＋１ゲートラインと、第２ｎゲートライン及び第２ｎ＋１ゲートラインの正常データ出力時間はそれぞれ同一の時間を有する。
【００５８】
従って、図６に示すように、各グループが接する部分のゲートラインが互いに同一の正常データ出力時間を有することによって、二つのゲートラインに電気的にカップリングされた画素が示す輝度の差が減ることになる。図６の横軸は多数のゲートラインを示し、縦軸は各ゲートラインに対応する輝度を示す。
【００５９】
各ゲートラインにブラックデータが印加される時間が長くなるほど各ゲートラインの輝度は相対的に低くなるため、正常データ出力時間が相対的に長い第１ゲートラインの輝度をＢＨとし、正常データ出力時間が相対的に短い第ｎゲートラインの輝度をＢＬであるとすると、第１〜第３ｎゲートラインの輝度はＢＨとＢＬとの間で増減を繰り返す。更に具体的に、第１ゲートラインで第ｎゲートラインの輝度はＢＨからＢＬに徐々に減少し、第ｎ＋１ゲートラインで第２ｎゲートラインの輝度はＢＬからＢＨに徐々に増加し、第２ｎ＋１ゲートラインで第３ｎゲートラインの輝度は再び減少する。
【００６０】
図示するように、第ｎゲートラインと第ｎ＋１ゲートラインの輝度が互いに同一であり、第２ｎゲートラインと第２ｎ＋１ゲートラインの輝度が互いに同一であり、隣接するゲートライン間の輝度変化が緩慢な傾向が見られる。従って、ゲートラインの間に輝度が急激に減少したり増加したりしないため、急激な輝度変化によって発生し得る輝線問題を減少させることができる。即ち、画質が向上する長所がある。
【００６１】
更に、各グループに含まれるゲートラインの数を増加させても、各グループが接する部分のゲートラインが互いに類似の輝度を有し得る。従って、第２ゲート信号を互いに異なる時間に数回に分けて印加しなくても良いため、ゲートドライバに要求される駆動周波数を低くできる長所もある。
【００６２】
図７を参照して、上述したゲートラインの動作方式が適用されて表示パネル３００に映像が表示される形態を説明する。
【００６３】
正四角形は、各段階の表示パネル３００を示し、Ａ、Ｂ、及びＣは、多数のゲートラインを各々含む複数のグループを示す。上述したように、多数のゲートラインは複数のグループに区分され得、各ゲートラインにカップリングされた複数の画素はデータ電圧の印加を受けて表示パネルに映像を表示するため、多数のゲートラインを区分するＡ、Ｂ、Ｃパーツは各々表示パネルのＡ、Ｂ、Ｃパーツと対応することができる。また、図示した矢印は第１ゲート信号が順に印加される方向、又は表示パネルに映像が表示される順序を示す。例えば、第１フレームの第１段階（Ｆｒａｍｅ１−１）でＡパーツの多数のゲートラインは上から下の方向に順次に第１ゲート信号の印加を受けることができる。これは、表示パネル３００のＡパーツが上から下の方向に映像が表示されることを意味し得る。また、斜線を引いた領域は各画素にインパルシブデータ信号が印加された領域であり、例えば、ブラックデータが印加されて映像が表示されないことがある。
【００６４】
各段階別に見ると、先ず、第１フレームの第１段階（Ｆｒａｍｅ１−１）において、Ａパーツはａ方向の順に映像が表示され、Ｂパーツはｂ方向の順に映像が表示され、Ｃパーツはインパルシブデータが表示される。この時、Ａパーツの複数のゲートライン（Ｇ１〜Ｇｎ）はａ方向に第１ゲート信号の印加を受け、Ｂパーツの複数のゲートライン（Ｇｎ＋１〜Ｇ２ｎ）はｂ方向に第１ゲート信号の印加を受け、Ｃパーツの複数のゲートライン（Ｇ２ｎ＋１〜Ｇ３ｎ）は第２ゲート信号の印加を受けることができる。
【００６５】
次いで、第１フレームの第２段階（Ｆｒａｍｅ１−２）において、Ａパーツは映像が表示されず、Ｂパーツはｂ方向の順に映像が表示され、Ｃパーツはａ方向の順に映像が表示される。同様に、第１フレームの第３段階（Ｆｒａｍｅ１−３）において、Ａパーツはａ方向の順に映像が表示され、Ｂパーツはインパルシブデータが表示され、Ｃパーツはａ方向の順に映像が表示される。次いで、第２フレームの第１段階（Ｆｒａｍｅ２−１）は第１フレームの第１段階を繰り返す。ここで、インパルシブデータが表示されることはブラック映像が表示されることを含み得る。
【００６６】
要するに、多数のゲートラインがＡ〜Ｃパーツに区分され、Ａ及びＣパーツは第１グループ、Ｂパーツは第２グループと定義されてＡ及びＣパーツのゲートラインはａ方向に順にゲート信号の印加を受け、Ｂパーツのゲートラインはｂ方向に順に印加を受ける。ここで、ａ方向と、ｂ方向は互いに異なる方向を意味するだけであり、図示するようにａ方向は上から下方向、ｂ方向は下から上方向に限定されない。即ち、第１及び第２グループのゲートラインに互いに異なる順に第１ゲート信号が印加されることを意味する。この時、第１ゲート信号は連続して多数のゲートラインに印加され、第１グループであるＡパーツのゲートラインに順次に提供された後、次いで第２グループであるＢパーツのゲートラインに逆順に提供される。同様に、Ｂパーツのゲートラインに第１ゲート信号を連続的に提供した後、第１グループであるＣパーツのゲートラインに再び順に提供される。
【００６７】
図８を参照すると、信号制御部６００は原映像信号（Ｒ、Ｇ、Ｂ）の入力を受けて第１ゲート信号の伝達順序に応じて原映像信号の配列順序（ＤＡＴ’）を変えて正常データ信号を生成する。ここで、図面の上のラインは原映像信号のデータ配列順序（ＤＡＴ’）を示し、下のラインは原映像信号のデータ配列順序を変えた表示データ信号（ＤＡＴ）のデータ配列順序を示す。各六角形は各ゲートラインにカップリングされた多数の画素に印加されるデータ信号を意味すし得る。また、上述したように、多数のゲートラインが順次に配置された第１〜第３ｎゲートラインを含み、第１〜第ｎゲートラインをＡパーツ、第ｎ＋１〜第２ｎゲートラインをＢパーツ、第２ｎ＋１〜第３ｎゲートラインをＣパーツに区分するものの、ＡパーツとＣパーツを第１グループ、Ｂパーツを第２グループと定義することができる。
【００６８】
本発明の実施形態によると、正常データ信号は第１ゲート信号に応答して各画素に印加されるため、信号制御部６００は第１ゲート信号の伝達順序に応じて原映像信号のデータ配列順序を変えて正常データ信号を生成することができる。
【００６９】
原映像信号は、順次に配置された多数のゲートライン、即ち第１〜第３ｎゲートラインの順序に各々対応して配列される。即ち、原映像信号は、Ａ〜Ｃパーツに関係なく、順次に配置された第１〜第３ｎゲートラインに順次に対応する。図示するように、Ａパーツのデータ信号は、第１〜第ｎゲートラインに対応するデータ信号が順次に配列され、Ｂパーツのデータ信号は、第ｎ＋１ゲートライン〜第２ｎゲートラインに対応するデータ信号が順次に配列され、Ｃパーツのデータ信号もやはり第２ｎ＋１〜第３ｎゲートラインに対応するデータ信号が順次に配列される。この時、Ｄａ、Ｄｂ、及びＤｃは各々パーツＡ、パーツＢ、及びパーツＣに対応する正常データ信号を意味する。
【００７０】
次いで、信号制御部６００は第１〜第３ｎゲートラインの順序に配列されたデータ信号を第１ゲート信号の伝達順序に対応するように原映像信号のデータ配列順序を変える。即ち、表示データ信号（ＤＡＴ）の正常データ信号は第１ゲート信号の伝達順序に対応する。更に具体的に、図示するように、信号制御部６００はＡ及びＣパーツに対応するデータ信号の配列順序を維持し、Ｂパーツに対応するデータ信号の配列順序を逆に変える。順次に配列された第ｎ＋１ゲートライン〜第２ｎゲートラインが第２グループと定義され、第１ゲート信号の印加を第２ｎゲートライン〜第ｎ＋１ゲートライン順に受けるため、第１ゲート信号の印加を受ける順序に対応するようにデータ信号の配列順序も第２ｎゲートラインに対応するデータ信号〜第ｎ＋１ゲートラインに対応するデータ信号順に原映像信号の配列順序を変える。
【００７１】
図面では多数のゲートラインを３個のグループ（Ａ、Ｂ、Ｃパーツ）に区分し、Ａ及びＣパーツを第１グループ、Ｂパーツを第２グループと定義した場合を開示しているが、これは一つの例示に他ならない。即ち、多数のゲートラインを更に多い数のグループに区分することができ、互いに隣接するように定義すると、Ａパーツを第２グループと定義することもできる。
【００７２】
以上、図面を参照しながら本発明の実施形態について説明したが、本発明は、上述の実施形態に限定されるものではなく、本発明の技術的範囲から逸脱しない範囲内で多様に変更実施することが可能である。
【符号の説明】
【００７３】
１０    液晶表示装置
１００    第１表示板
１５０    液晶層
２００    第２表示板
３００    表示パネル
４００    ゲートドライバ
５００    データドライバ
６００    信号制御部
６１０    映像信号処理部
６２０    制御信号生成部
７００    階調電圧発生部
【図１】
2010122650.tif 000003
【図２】
2010122650.tif 000004
【図３】
2010122650.tif 000005
【図４】
2010122650.tif 000006
【図５】
2010122650.tif 000007
【図６】
2010122650.tif 000008
【図７】
2010122650.tif 000009
【図８】
2010122650.tif 000010